(57)【特許請求の範囲】
【請求項１】
シャフトと一体状に回転するターンテーブルに載置されるディスクを調芯するディスク調芯構造体において、上記ターンテーブルが、前記ディスクの中心孔に嵌合することにより該ディスクの調芯を行う調芯部を備え、該調芯部は、平面視円弧状であって周方向に延びる状態で周方向に配列された樹脂からなる複数の調芯爪部と、周方向に隣り合う前記調芯爪部の間にそれぞれ配置され外径が前記ディスクの中心孔に嵌合する程度の大きさに形成されて前記ディスクの中心孔の当該調芯部への嵌合を案内する突部とを有し、さらに、前記調芯部は、前記複数の調芯爪部および前記突部より径方向内側に、前記ディスクを前記ターンテーブル上に押圧するためのクランプ体を当該調芯部に磁気的に保持するクランプ部材を収容する円形の凹部を有しており、前記調芯部は、単一の部材にて構成され、該調芯爪部が、軸心と直交するラジアル平面内で前記調芯爪部の内径が最も小さい部位を支点として片持梁状に弾性変形して縮径・拡径可能となることを特徴とするディスク調芯構造体。
【発明の詳細な説明】
【０００１】
【発明の属する技術分野】
本発明は、ディスク調芯構造体に係り、特に、ＣＤ−ＲＯＭドライブやＤＶＤ−ＲＯＭドライブ等の、ディスク面から上端までの高さスペースがないディスク駆動装置に用いられるディスク調芯構造体に関する。
【０００２】
【従来の技術】
一般に、ＣＤ−ＲＯＭやＤＶＤ−ＲＯＭ等の情報記録媒体（以下、ディスクという）をアクセスして情報の読み出し・書き込みを行なうディスク駆動装置では、ディスクと、情報の読み出し・書き込みを行なうピックアップと、の位置関係を高精度に保つ必要があり、回転中のディスクと、ピックアップとの間に位置ズレが生じると、情報の読み出し・書き込みが困難となり、例えば、再生された音楽や映像が劣化したものとなってしまう。
【０００３】
そして、ディスクは一般に合成樹脂により形成されるので、駆動装置のターンテーブルに装着するためのディスクの中心孔の内径寸法にバラツキが生じ易く、ディスクの内径によっては、ディスクがターンテーブルに同芯状に装着されず、回転中のディスクとピックアップとの間に位置ズレが生じてしまう。
【０００４】
そこで、従来、ディスク駆動装置にディスク調芯構造体を設け、ターンテーブルに載置されるディスクを調芯（センタリング）して正しい位置に配置し、回転中のディスクとピックアップとの間の位置ズレを抑制した。
【０００５】
即ち、ディスク駆動装置40は、図８に示すように、ロータ41ａとステータ基板41ｂとから成るモータ部41と、ディスクＤが載置されるターンテーブル42と、ターンテーブル42上にディスクＤを押圧するクランプ体43と、を備え、モータ部41は、ステータ基板41ｂを介して、ディスク駆動装置40の（図示省略の）本体フレームに取り付けられ、ターンテーブル42は、ロータ41ａに固着されたシャフト44を介して、モータ部41に取り付けられ、クランプ体43は、ターンテーブル42に設けられたクランプマグネット45を介して、ターンテーブル42に吸着される。
【０００６】
そして、従来のディスク調芯構造体は、シャフト44に直交状に固着されたターンテーブル42に平面視環状の調芯部46を備え、調芯部46はその外周上端に複数の調芯爪部47…が設けられ、調芯爪部47は、弾性変形によりシャフト44側に揺動可能となり、ディスクＤの中心孔の内周縁48に押圧状に当接可能となる。このように、ディスクＤをターンテーブル42に装着する際、ディスクＤの中心孔の内径寸法に若干のバラツキがあっても、そのバラツキは調芯爪部47が揺動することで吸収され、ディスクＤが調芯されて確実にターンテーブル42に装着される。
【０００７】
【発明が解決しようとする課題】
しかしながら、従来のディスク調芯構造体の調芯爪部47は、軸心Ｌ方向（鉛直方向）に立設状に配置されて上端が調芯部46の外周上端に固着され、軸心Ｌを含むアキシャル平面内において、縮径・拡径可能となるように構成されているため、弾性変形を利用して調芯爪部47を確実に揺動させるためには、調芯爪部47の長さを確保する必要があった。即ち、調芯爪部47を長くして、調芯部46の高さ寸法を大きくする必要があった。
【０００８】
また、図９に示すように、調芯爪部47は、（仮想線にて示す）自由状態から（実線にて示す）弾発付勢した状態において、アキシャル方向の変位ΔＡ、及び、ラジアル方向の変位ΔＲを有するため、調芯爪部47のアキシャル方向の変位ΔＡを確保する必要があった。即ち、調芯部46の高さ寸法を大きくする必要があった。ここで、アキシャル方向の変位ΔＡを小さくするためには、調芯爪部47の高さ寸法を小さくした上で、角度を起こす、つまり周方向への傾斜角度を大きくする必要があるが、このように調芯爪部47の傾斜角度が大きくなると、ディスクＤの装着の際にアキシャル方向に大きな力を付与する必要があり、ディスクＤの装着作業が容易でなくなり、しかもディスクＤがターンテーブル42から浮いた状態となったり、調芯精度の悪化を招き、クランプエラーとなるおそれがある。
【０００９】
従って、ターンテーブル42に載置されるディスクＤの上面からターンテーブル42の上端までの高さ寸法Ｈを大きくする必要があるため、ＣＤ−ＲＯＭドライブやＤＶＤ−ＲＯＭドライブ等の、ディスク面から上端までの高さスペースがないディスク駆動装置（モータ）に用いることができなかった。
【００１０】
そこで、本発明は、調芯精度を良くしてスムーズにディスクを装着しやすくするためには調芯爪の長さが長くて緩やかに角度を取る必要があること、及びラジアル方向のスペースに着目し、ターンテーブルに載置されるディスクを確実に調芯することができると共に、ターンテーブルの高さ寸法を抑制して小型化・薄型化を可能とし、ディスク面から上端までの高さスペースがないディスク駆動装置（モータ）に用いることができるディスク調芯構造体を提供することを目的とする。
【００１１】
【課題を解決するための手段】
上記の目的を達成するために、本発明に係るディスク調芯構造体は、シャフトと一体状に回転するターンテーブルに載置されるディスクを調芯するディスク調芯構造体において、上記ターンテーブルが、前記ディスクの中心孔に嵌合することにより該ディスクの調芯を行う調芯部を備え、該調芯部は、平面視円弧状であって周方向に延びる状態で周方向に配列された樹脂からなる複数の調芯爪部と、周方向に隣り合う前記調芯爪部の間にそれぞれ配置され外径が前記ディスクの中心孔に嵌合する程度の大きさに形成されて前記ディスクの中心孔の当該調芯部への嵌合を案内する突部とを有し、さらに、前記調芯部は、前記複数の調芯爪部および前記突部より径方向内側に、前記ディスクを前記ターンテーブル上に押圧するためのクランプ体を当該調芯部に磁気的に保持するクランプ部材を収容する円形の凹部を有しており、前記調芯部は、単一の部材にて構成され、該調芯爪部が、軸心と直交するラジアル平面内で前記調芯爪部の内径が最も小さい部位を支点として片持梁状に弾性変形して縮径・拡径可能となることを特徴とするものである。
【００１２】
このように構成することで、ターンテーブルに載置されるディスクを確実に調芯することができる。また、調芯爪部のアキシャル方向（軸心方向）の変位がほとんどないため、ターンテーブルの高さ寸法を抑制して小型化・薄型化を可能とし、ＣＤ−ＲＯＭドライブやＤＶＤ−ＲＯＭドライブ等の、ディスク面から上端までの高さスペースがないディスク駆動装置（モータ）に用いることができ、適用範囲の広いものとなる。
【００１６】
【発明の実施の形態】
以下、実施の形態を示す図面に基づき、本発明を詳説する。
【００１７】
図１は、本発明のディスク調芯構造体の実施の一形態を示す一部断面側面図であり、図２は平面図であり、本構造体は、シャフト１と一体状に回転するターンテーブル２に載置されるディスクＤを調芯するものであり、上記ターンテーブル２が、軸心Ｌと直交するラジアル平面内でのみ弾性変形して縮径・拡径可能な調芯爪部３を備えたものである。
【００１８】
なお、ディスクＤは、ＣＤ−ＲＯＭやＤＶＤ−ＲＯＭ等の情報記録媒体であり、「ターンテーブル２に載置されるディスクＤを調芯する」とは、ディスクＤの中心をシャフト１の軸心Ｌに略一致（乃至一致）させてディスクＤをターンテーブル２上に保持することをいう。
【００１９】
本構造体は、ディスクＤをアクセスして情報の読み出し・書き込みを（図示省略の）ピックアップにて行なうディスク駆動装置（モータ）20に用いられている。具体的に述べると、ディスク駆動装置20は、ロータ21ａとステータ基板21ｂとから成るモータ部21と、ディスクＤが載置されるターンテーブル２と、ターンテーブル２上にディスクＤを押圧するクランプ体22と、を備え、モータ部21は、ステータ基板21ｂを介して、ディスク駆動装置20の（図示省略の）本体フレームに取り付けられ、ターンテーブル２は、ロータ21ａに固着された（軸心Ｌ廻りに回転する）シャフト１を介して、モータ部21に取り付けられ、クランプ体22は、ターンテーブル２に設けられたクランプマグネット23を介して、ターンテーブル２に吸着される。
【００２０】
ターンテーブル２は、ディスクＤが載置される支持部４と、ディスクＤが調芯される調芯部５と、を備え、支持部４は、シャフト１に外嵌状に固着される筒部４ａと、筒部４ａの下端に外鍔状に固着されると共にディスクＤの下面が環状の滑止め部材６を介して載置される環状のフランジ部４ｂと、からなる。なお、シャフト１の上端は、筒部４ａの上端より突出しない。
【００２１】
調芯部５は、その内周が支持部４の筒部４ａに外嵌されると共に支持部４のフランジ部４ｂに載置状に固着される。また、調芯部５の上面には、軸心Ｌを中心とする円形の凹部７が設けられ、凹部７には環状のクランプマグネット23が嵌着されている。
【００２２】
要するに、ターンテーブル２（支持部４及び調芯部５）とクランプマグネット23は、シャフト１と共に、軸心Ｌ廻りに回転する。
【００２３】
また、調芯部５は、平面視円弧状に周方向に延設された複数の調芯爪部３…を有し、該調芯爪部３…が、軸心Ｌと直交するラジアル平面内で片持梁状に弾性変形して縮径・拡径可能となる。
【００２４】
具体的に述べると、図３の斜視図及び図４の平面図に示すように、調芯部５は、軸心Ｌを中心とする外周端縁９に沿って、平面視円弧状の平板型の調芯爪部３及び突部10が、交互に、複数個（本実施の形態では、３個ずつ）配設されている。
【００２５】
調芯爪部３は、その一端を、連結片11を介して、外周端縁９に固着されており、複数（３個）の調芯爪部３…は、所定の中心角度（本実施の形態では、略120 °）にて、等間隔に配設されている。
【００２６】
また、調芯爪部３は、その他端側につれて、外周端縁９から（しだいに）離間するように配設されており、調芯爪部３…の他端側の外周端縁が、軸心Ｌを中心とする第１仮想円Ｃ1 に内接するように構成されている。なお、第１仮想円Ｃ1 の半径ｒ1 は、ディスクＤの中心孔の半径よりも大きく設定されている。
【００２７】
このように片持梁状に配設された調芯爪部３は、連結片11（及び調芯爪部３）の弾性変形により、調芯爪部３の他端側（先端側）が揺動して、外周端縁９に接近（乃至当接）可能となる。要するに、調芯爪部３が、軸心Ｌと直交するラジアル平面内で片持梁状に弾性変形して縮径・拡径可能となる。さらに言い換えると、調芯爪部３の撓み方向を、調芯部５の径方向（ラジアル方向）に設けた。また、調芯爪部３が樹脂からなるのが望ましく、調芯爪部３自体も確実に弾性変形して、調芯爪部３が一層確実に外周端縁９に接近可能となる。
【００２８】
突部10は、その内周端縁を、外周端縁９に固着されており、複数（３個）の突部10…は、所定の中心角度（本実施の形態では、略120 °）にて、等間隔に配設されている。また、突部10…の外周端縁が、軸心Ｌを中心とする第２仮想円Ｃ2 に内接するように構成されている。なお、第２仮想円Ｃ2 の半径ｒ2 は、ディスクＤの中心孔の半径よりも小さく設定されている。
【００２９】
次に、上述の如く構成された調芯部５にディスクＤを嵌め込む方法を説明する。即ち、ディスクＤの中心を軸心Ｌに略一致させて、ディスクＤを（上方から）ターンテーブル２に近づけていくと、第１仮想円Ｃ1 の半径ｒ1 が、ディスクＤの中心孔の半径よりも大きく設定されているため、図５（Ａ）に示すように、ディスクＤの内周縁８が、調芯爪部３（の先端側）の上端角部12に当接する。そして、この上端角部12は、下方側が拡径するように傾斜状に形成されているため、ディスクＤをさらに下方へ押し込むと、図５（Ｂ）に示すように、ディスクＤの内周縁８が、上端角部12に摺接しながら、調芯爪部３（の先端側）を径方向内方（外周端縁９側）へ押圧状に縮径させて（撓ませて）いき、図５（Ｃ）に示すように、ディスクＤの下面が滑止め部材６に当接して、ディスクＤが調芯部５に嵌め込まれる。
【００３０】
そして、ディスクＤが調芯部５に嵌め込まれた状態において、図６に示すように、ディスクＤの内周縁８が、縮径された調芯爪部３（の先端側）に、径方向外方へ、調芯爪部３（及び連結片11）の弾性により押圧されている。即ち、ディスクＤが調芯爪部３…に調芯される。また、調芯爪部３（及び連結片11）は弾発付勢しているため、ディスクＤは確実に装着保持される。
【００３１】
従って、ディスクＤの中心孔の内径寸法に若干のバラツキがあっても、そのバラツキは調芯爪部３…が揺動する（撓む）ことで吸収され、ディスクＤが調芯されて確実にターンテーブル２に装着される。
【００３２】
また、図７に示すように、調芯爪部３は、（仮想線にて示す）自由状態から（実線にて示す）弾発付勢した状態において、ラジアル方向の変位ΔＲのみを有し、アキシャル方向（軸心Ｌ方向）の変位ΔＡが無いので、調芯爪部３のアキシャル方向の変位ΔＡを確保するためのスペースを必要とせず、図１に示すように、ディスクＤの上面からターンテーブル２の上端までの高さ寸法Ｈを小さく設定することができ、本構造体をＣＤ−ＲＯＭドライブやＤＶＤ−ＲＯＭドライブ等の、ディスク面から上端までの高さスペースがないディスク駆動装置（モータ）に用いることができる。
【００３３】
なお、ディスクＤを調芯部５から取り外す場合、調芯爪部３…の弾発力に抗して、ディスクＤを、ターンテーブル２から離間させるように引き上げることで、取り外すことができる。そして、調芯爪部３は、図５（Ａ）に示すように、再び、拡径した自由状態となる。
【００３４】
なお、本発明は、上述の実施の形態に限定されず、調芯爪部３…を４個以上として、ディスクＤがターンテーブル２に確実に装着されるようにしてもよく、また、バネ等の弾性体を用いて調芯爪部３をラジアル平面内でのみ縮径・拡径可能となるようにしてもよく、さらに、調芯爪部３の形状は、本発明の要旨を逸脱しない範囲で設計変更可能である。
【００３５】
【発明の効果】
本発明によれば、調芯爪部を軸心と直交するラジアル平面で弾性変形して縮径・拡径可能とすることにより、軸心方向にスペースがなくても調芯爪部の長さを長くして緩やかな角度を取り、これを撓みやすくすることが可能で、ディスクを装着しやすくし、調芯精度を安定して確保することができるものであり、ターンテーブルに載置されるディスクを確実に調芯することができる。また、ターンテーブルの高さ寸法を抑制して小型化・薄型化を可能とし、特に、ＣＤ−ＲＯＭドライブやＤＶＤ−ＲＯＭドライブ等の、ディスク面から上端までの高さスペースがないディスク駆動装置（モータ）に用いることができる。
【図面の簡単な説明】
【図１】本発明の実施の一形態を示す一部断面側面図である。
【図２】本発明の平面図である。
【図３】調芯部の斜視図である。
【図４】調芯部の平面図である。
【図５】ディスクを装着する作用説明図である。
【図６】ディスクの装着状態を示す平面図である。
【図７】調芯爪部の作用説明図である。
【図８】従来例を示す一部断面側面図である。
【図９】従来例の作用説明図である。
【符号の説明】
１  シャフト
２  ターンテーブル
３  調芯爪部
５  調芯部
Ｄ  ディスク
Ｌ  軸心
【図１】
0004097389.tif 000002
【図２】
0004097389.tif 000003
【図３】
0004097389.tif 000004
【図４】
0004097389.tif 000005
【図５】
0004097389.tif 000006
【図６】
0004097389.tif 000007
【図７】
0004097389.tif 000008
【図８】
0004097389.tif 000009
【図９】
0004097389.tif 000010